(57)【要約】【課題】利便性を向上できるファイル管理システム及び携帯端末装置を提供する。【解決手段】コンテンツを取得するコンテンツ取得部６と、コンテンツのファイルを格納するファイル格納部１１と、外部記憶装置３０と通信回線を介して通信を行う通信部３と、ファイル格納部１１の空き容量を検出する容量検出部１３と、ファイル格納部１１に格納されたファイルの必要性に応じた優先度を判別する優先度判別部１４と、ファイル格納部１１に格納されたファイルを表示する表示部５とを備え、コンテンツのファイルをファイル格納部１１に格納する際に、容量検出部１３の検出により空き容量が不足する際に表示部５にファイルを表示して使用者に削除を指示するとともに、使用者によるファイルの削除後に空き容量が不足する際に選択ファイルを除くファイルを優先度が低い順に通信部３により外部記憶装置３０に送信してファイル格納部１１から削除した。【選択図】図２
2010198077.tif 000002
【特許請求の範囲】
【請求項１】
コンテンツを取得するコンテンツ取得部と、コンテンツのファイルを格納するファイル格納部と、外部記憶装置と通信回線を介して通信を行う通信部と、前記ファイル格納部の空き容量を検出する容量検出部と、前記ファイル格納部に格納されたファイルの必要性に応じた優先度を判別する優先度判別部と、前記ファイル格納部に格納されたファイルを表示する表示部とを備え、コンテンツのファイルを前記ファイル格納部に格納する際に、前記容量検出部の検出により空き容量が不足する際に前記表示部にファイルを表示して使用者に削除を指示するとともに、使用者が選択したファイルの削除後に空き容量が不足する際に、選択ファイルを除くファイルを優先度が低い順に前記通信部により前記外部記憶装置に送信して前記ファイル格納部から削除することを特徴とするファイル管理システム。
【請求項２】
前記表示部にファイルを表示して使用者に削除を指示する際に、優先度の低い順に表示したことを特徴とする請求項１に記載のファイル管理システム。
【請求項３】
優先度の低い順から格納対象のファイルのサイズを超えるまでのファイルを他のファイルと異なる表示スタイルで表示したことを特徴とする請求項２に記載のファイル管理システム。
【請求項４】
前記優先度判別部は前記ファイル格納部に格納されたファイルの再生回数または最終アクセスからの経過時間に基づいて優先度を判別することを特徴とする請求項１〜請求項３のいずれかに記載のファイル管理システム。
【請求項５】
請求項１〜請求項４のいずれかに記載のファイル管理システムを備え、前記コンテンツ取得部が被写体の画像を取得するカメラから成ることを特徴とする携帯端末装置。
【発明の詳細な説明】
【技術分野】
【０００１】
本発明は、コンテンツを取得してコンテンツのファイルを格納するファイル管理システム及びそれを用いた携帯端末装置に関する。
【背景技術】
【０００２】
従来のファイル管理システムは特許文献１に開示されている。このファイル管理システムは取得したコンテンツのファイルを保管するファイル保管部を備えている。また、ファイル保管部の空き容量を検出する容量検出部と、ファイルの優先度を判別する優先度判別部とが設けられる。優先度判別部はファイルの最終アクセスからの経過時間等によってファイルの必要性に応じた優先度を判別する。
【０００３】
ファイルを保管する際には容量検出部によりファイル保管部の空き容量が検出される。ファイル保管部の空き容量が不足する場合にはファイル格納部に格納されるファイルの優先度が所定条件よりも低いファイルが削除される。ファイルを削除しても空き容量がまだ不足する場合は、保管対象のファイルのサイズを超えるまで優先度の低い順にファイル格納部のファイルが削除される。これにより、ファイル保管部の空き容量を確保して取得したコンテンツのファイルが保管される。
【先行技術文献】
【特許文献】
【０００４】
【特許文献１】特開２００５−２５８６５６号公報（第３頁−第７頁、第２図）
【特許文献２】特開２００８−１５２５７８号公報（第５頁−第６３頁、第６図）
【発明の概要】
【発明が解決しようとする課題】
【０００５】
上記従来のファイル管理システムによると、ファイル保管部に保管されるファイルの最終アクセスからの経過時間等により自動的に優先度が判別されてファイルが削除される。このため、使用者が必要としたファイルまで削除される問題がある。
【０００６】
使用者がファイル格納部からファイルを選択して削除により空き容量を確保すると、必要なファイルの削除を防止できる。しかしながら、保管対象のファイルのサイズよりも大きな空き容量を確保するために、使用者が削除するファイルを迅速に判断できない場合がある。
【０００７】
これにより、使用者にとってファイルの削除の判断が煩わしくなるとともに、ファイルの保管に時間がかかってその後に所望のコンテンツを取得できない場合がある。例えば、カメラ撮影した被写体画像から成るコンテンツのファイルを保管する際に時間がかかると、次の撮影を行うことができずにシャッターチャンスを逃す。従って、ファイル管理システムの利便性が悪くなる問題があった。
【０００８】
本発明は、空き容量を迅速に確保して利便性を向上できるファイル管理システム及びそれを用いた携帯端末装置を提供することを目的とする。
【課題を解決するための手段】
【０００９】
上記目的を達成するために本発明は、コンテンツを取得するコンテンツ取得部と、コンテンツのファイルを格納するファイル格納部と、外部記憶装置と通信回線を介して通信を行う通信部と、前記ファイル格納部の空き容量を検出する容量検出部と、前記ファイル格納部に格納されたファイルの必要性に応じた優先度を判別する優先度判別部と、前記ファイル格納部に格納されたファイルを表示する表示部とを備え、コンテンツのファイルを前記ファイル格納部に格納する際に、前記容量検出部の検出により空き容量が不足する際に前記表示部にファイルを表示して使用者に削除を指示するとともに、使用者が選択したファイルの削除後に空き容量が不足する際に、選択ファイルを除くファイルを優先度が低い順に前記通信部により前記外部記憶装置に送信して前記ファイル格納部から削除することを特徴としている。
【００１０】
この構成によると、コンテンツ取得部により取得されたコンテンツのファイルはファイル格納部に格納される。ファイルをファイル格納部に格納する際には容量検出部により空き容量が検出される。空き容量が足りている場合はファイル格納部に格納される。空き容量が不足する場合は表示部にファイルの一覧が表示され、使用者に対して削除が指示される。使用者によって不要なファイルが選択され、削除によって空き容量が足りると格納対象のファイルがファイル格納部に格納される。使用者の選択したファイルの削除によっても空き容量が不足する場合は優先度判別部によってファイルの必要性に基づく優先度が判別される。そして、優先度の低い順に送信部によって外部記憶装置にファイルが送信され、送信されたファイルがファイル格納部から削除される。使用者の選択したファイルの削除をこの時に同時に行ってもよい。これにより、ファイルが移動され、格納対象のファイルのサイズよりもファイル格納部の空き容量が大きくなると該ファイルがファイル格納部に格納される。ファイル格納部に格納されたコンテンツのファイルは取り出して表示部の表示等によって再生することができる。また、外部記憶装置に記憶されたファイルは通信部を介して取り出して再生することができる。
【００１１】
また本発明は、上記構成のファイル管理システムにおいて、前記表示部にファイルを表示して使用者に削除を指示する際に、優先度の低い順に表示したことを特徴としている。この構成によると、表示部に一覧表示されるファイルが優先度の低い順に表示され、使用者は表示されたファイルを先頭から順に選択して削除を行う。
【００１２】
また本発明は、上記構成のファイル管理システムにおいて、優先度の低い順から格納対象のファイルのサイズを超えるまでのファイルを他のファイルと異なる表示スタイルで表示したことを特徴としている。
【００１３】
この構成によると、ファイルの削除が指示される際に表示部に一覧表示されるファイルが優先度の低い順に表示される。この時、格納対象のファイルのサイズを超えるまでファイルが例えば装飾して表示され、それ以降のファイルは装飾を省いて表示される。これにより、空き容量の不足を解消するためにファイルをどれだけ削除すればよいを使用者が容易に把握できる。
【００１４】
また本発明は、上記構成のファイル管理システムにおいて、前記優先度判別部は前記ファイル格納部に格納されたファイルの再生回数または最終アクセスからの経過時間に基づいて優先度を判別することを特徴としている。この構成によると、ファイルの再生回数が少ない順に必要性が小さく優先度が低いと判断される。また、ファイルの最終アクセスからの経過時間が長い順に必要性が小さく優先度が低いと判断される。
【００１５】
また本発明の携帯端末装置は、上記各構成のファイル管理システムを備え、前記コンテンツ取得部が被写体の画像を取得するカメラから成ることを特徴としている。この構成によると、携帯端末装置に設けられるカメラにより被写体が撮影されると被写体の画像から成るコンテンツのファイルがファイル格納部に格納される。
【発明の効果】
【００１６】
本発明によると、ファイル格納部の空き容量が不足する際に使用者に削除を指示し、使用者の選択したファイルの削除後に空き容量が不足する際に優先度が低い順にファイルを外部記憶装置に送信してファイル格納部から削除するので、使用者が削除するファイルの選択に迷った場合はファイルを残しておいても外部記憶装置に送られて保管される。このため、必要なファイルの削除を防止できるとともに迅速にファイル格納部の空き容量を確保してコンテンツのファイルを格納することができる。従って、ファイル管理システム及び携帯端末装置の利便性を向上することができる。
【図面の簡単な説明】
【００１７】
【図１】本発明の実施形態の携帯端末装置の構成を示すブロック図
【図２】本発明の実施形態の携帯端末装置のファイル格納処理の動作を示すフローチャート
【図３】本発明の実施形態の携帯端末装置のファイル格納処理時の表示部の表示画面を示す図
【発明を実施するための形態】
【００１８】
以下に本発明の実施形態を図面を参照して説明する。図１は一実施形態のファイル管理システムを備えた携帯端末装置の構成を示すブロック図である。携帯端末装置１は携帯電話機やモバイル型パーソナルコンピュータ等から成り、各部を制御する制御部２を備えている。制御部２には通信部３、操作部４、表示部５、カメラ部６、バッテリ７及び記憶部１０が接続される。
【００１９】
通信部３は通信回線を通じて外部記憶装置３０と通信を行う。また、通信部３により通信回線を通じて電子メールの送受信やインターネット網への接続を行うことができる。操作部４は複数の操作キーを有し、携帯端末装置１の操作を行う。表示部４は液晶パネルや有機ＥＬパネル等から成り、操作画面やコンテンツを表示する。カメラ部６はレンズ及び撮像素子を有し、被写体の撮影を行う。バッテリ７は携帯端末装置１の各部に電源を供給する。
【００２０】
記憶部１０はＨＤＤ、ＲＡＭ、ＲＯＭ等から成り、ファイル格納部１１及びプログラム格納部１２を有している。ファイル格納部１１は各種データやコンテンツのファイルが格納される。コンテンツのファイルには通信部３によりダウンロードされるファイルやカメラ部６で撮影した画像のファイルが含まれる。即ち、通信部３及びカメラ部６はコンテンツを取得するコンテンツ取得部を構成する。
【００２１】
プログラム格納部１２は制御部２を介して携帯端末装置１の各動作を行うプログラムが格納される。プログラム格納部１２に格納されるプログラムによって容量検出部１３、優先度判別部１４及び検索部１５が設けられる。
【００２２】
容量検出部１３はファイル格納部１１の空き容量を検出する。優先度判別部１４はファイル格納部１１に格納されたファイルの必要性に応じた優先度を判別する。ファイルの優先度は閲覧を含む再生回数、最終アクセスからの経過時間、累計の再生時間、格納された時期等により判別される。優先度を判別する条件は予め使用者によって設定される。
【００２３】
例えば、ファイルの再生回数により優先度を判別するように設定された場合は、再生回数が少ない程必要性が小さく、優先度が低いと判断される。ファイルの最終アクセスからの経過時間により優先度を判別するように設定された場合は、経過時間が長い程必要性が小さく、優先度が低いと判断される。
【００２４】
ファイルの累計の再生時間により優先度を判別するように設定された場合は、累計の再生時間が短い程必要性が小さく、優先度が低いと判断される。ファイルの格納された時期により優先度を判別するように設定された場合は、古いファイル程必要性が小さく、優先度が低いと判断される。
【００２５】
検索部１５は優先度判別部により判別された優先度に基づいて、ファイル格納部１１のファイルを検索して抽出や並べ替えを行う。また、記憶部１０内のＲＡＭにより制御部２による演算結果やコンテンツのファイルの一時記憶が行われる。
【００２６】
上記構成の携帯端末装置１において、初期設定として操作部４の操作によって外部記憶装置３０のアドレスや、優先度判別部１４による優先度を判別する条件が設定される。操作部４により所定の操作を行うと、通信部３を介してウェブ上のサイトの閲覧、ウェブ上や外部記憶装置３０のコンテンツのファイルのダウンロードが行われる。ファイルをダウンロードするとファイル格納部１１に格納され、表示部５の表示等による再生（閲覧）を行うことができる。
【００２７】
また、操作部４の操作によってカメラ部６により被写体の撮影が行われる。撮影された画像のファイルは記憶部１０のＲＡＭ上に一時記憶され、所定の操作によってファイル格納部１１に格納される。格納された画像のファイルは表示部５に表示して再生（閲覧）を行うことができる。
【００２８】
図２はファイル格納部１１にファイルを格納する際の動作を示すフローチャートである。通信部３やカメラ部６等のコンテンツ取得部によってウェブページや画像等のコンテンツのファイルを取得した際に同図に示すファイル格納処理のプログラムが呼び出される。
【００２９】
ステップ＃１１では容量検出部１３によってファイル格納部１１の空き容量が検出される。ステップ＃１２では格納対象のコンテンツのファイルのサイズに対してファイル格納部１１の空き容量が不足しているか否かが判断される。ファイル格納部１１の空き容量が不足していない場合はステップ＃２０に移行する。
【００３０】
ファイル格納部１１の空き容量が不足している場合はステップ＃１３に移行する。ステップ＃１３では優先度判別部１４によってファイル格納部１１に格納された各ファイルの優先度が判別される。ステップ＃１４ではファイル格納部１１に格納された各ファイルが検索部１５によって優先度の低い順に並べ替えて表示部５に一覧表示される。この時、使用者に削除するファイルの選択が促される。
【００３１】
図３はこの時の表示部５の表示画面を示す図である。表示画面２０には複数のコンテンツのファイルがサムネイル画像２１により一覧表示される。各サムネイル画像２１にはチェックボックス２３が付加される。チェックボックス２３にチェックする操作を行うことにより、削除対象のファイルが選択される。
【００３２】
また、優先度に低い順から格納対象のファイルのサイズを超えるまでのファイルに対してサムネイル画像２１の周囲に枠２２が施され、それ以降のサムネイル画像２１には枠２２が省かれる。これにより、空き容量の不足を解消するためにファイルをどれだけ削除すればよいを使用者が容易に把握できる。枠２２の表示に限られず、装飾等によりファイルの表示スタイルが異なって表示されていればよい。
【００３３】
ステップ＃１５では使用者により削除対象のファイルが選択され、削除の操作が行われるまで待機する。削除の操作が行われるとステップ＃１６に移行し、使用者により選択された削除対象のファイルの総サイズが検出される。ステップ＃１７では選択ファイルの総サイズから、ファイルを削除した後のファイル格納部１１の空き容量が不足するか否かが判断される。
【００３４】
ファイルを削除した後の空き容量が不足しない場合はステップ＃１９に移行する。ファイルを削除した後の空き容量が不足する場合は、ステップ＃１８で通信部３によって選択ファイルを除く優先度の低いファイルから順に外部記憶装置３０に送信される。使用者により選択された削除対象のファイルと外部記憶装置３０に送信されたファイルとのサイズの合計が格納対象のファイルのサイズを超えると、ファイルの送信が停止される。
【００３５】
ステップ＃１９ではステップ＃１５で選択された削除対象のファイルがファイル格納部１１から削除される。また、ステップ＃１８で外部記憶装置３０に送信されたファイルがファイル格納部１１から削除される。これにより、ファイル格納部１１に空き容量が確保される。ステップ＃２０では格納対象のコンテンツのファイルがファイル格納部１１に格納される。外部記憶装置３０に記憶されたファイルは通信部３を介して取り出して閲覧等の再生を行うことができる。
【００３６】
また、通信部３を介して送受信された電子メールのファイルもファイル格納部１１に保管される。この時、電子メールのファイルは通信部３でダウンロードされたファイルやカメラ部６により撮影された画像のファイルとは異なる領域に保管される。該領域の空き容量が不足すると、使用者によって削除禁止の設定がされたファイルを除いて古い順にファイルが削除されるようになっている。
【００３７】
本実施形態によると、ファイル格納部１１の空き容量が不足する際に使用者に削除を指示し、使用者の選択したファイルの削除後に空き容量が不足する際に優先度が低い順にファイルを外部記憶装置３０に送信してファイル格納部１１から削除するので、使用者が削除するファイルの選択に迷った場合はファイルを残しておいても外部記憶装置３０に送られて保管される。このため、必要なファイルの削除を防止できるとともに迅速にファイル格納部１１の空き容量を確保してコンテンツのファイルを格納することができる。従って、携帯端末装置１の利便性を向上することができる。
【００３８】
また、ステップ＃１４で表示部５にファイルを表示して使用者に削除を指示する際に、優先度の低い順に表示したので、使用者が不要なファイルを容易に選択することができる。従って、携帯端末装置１の利便性をより向上することができる。
【００３９】
また、優先度の低い順から格納対象のファイルのサイズを超えるまでのファイルを他のファイルと異なる表示スタイルで表示したので、使用者が不要なファイルを容易に選択することができる。従って、携帯端末装置１の利便性をより向上することができる。
【００４０】
また、優先度判別部１４がファイル格納部１１に格納されたファイルの再生回数または最終アクセスからの経過時間に基づいて優先度を判別するので、使用者にとって必要性が小さく優先度の低いファイルを正確に判別することができる。
【００４１】
また、携帯端末装置１がカメラ部６から成るコンテンツ取得部を有するため、被写体画像から成るコンテンツのファイルの格納を迅速に行ってシャッターチャンスを逃さずに次の撮影を直ぐに行うことができる。
【００４２】
本実施形態において、優先度判別部１４によるファイルの優先度の判別を予め定期的に行ってステップ＃１３を省いてもよい。また、ステップ＃１４でファイルの一覧表示する際に優先度の低い順に格納対象のファイルのサイズを超えるまでのファイルのみを表示してそれ以降を非表示にしてもよい。また、ステップ＃１５で使用者により選択されたファイルをステップ＃１６の直後にファイル格納部１１から削除してもよい。
【００４３】
尚、通信部３やカメラ部６と同様にコンテンツを取得するコンテンツ取得部を有してコンテンツのファイルをファイル格納部１１に格納するファイル管理システムにおいて同様の構成によって同様の効果を得ることができる。また、音声や動画等のコンテンツを取得するコンテンツ取得部を設けて、これらのコンテンツを再生する再生手段を設けてもよい。
【産業上の利用可能性】
【００４４】
本発明によると、コンテンツを取得してファイルを格納するファイル管理システム及びそれを用いた携帯端末装置に利用することができる。
【符号の説明】
【００４５】
１    携帯端末装置
２    制御部
３    通信部
４    操作部
５    表示部
６    カメラ部
７    バッテリ
１０    記憶部
１１    ファイル格納部
１２    プログラム格納部
１３    容量検出部
１４    優先度判別部
１５    検索部
２０    表示画面
２１    サムネイル画像
２２    枠
２３    チェックボックス
３０    外部記憶装置
【図１】
2010198077.tif 000003
【図２】
2010198077.tif 000004
【図３】
2010198077.tif 000005